(57)【要約】  （ａ）コンテンツを第１の記録媒体から第２の記録媒体に移動し、(ｂ)コンテンツを再生不能にするために当該コンテンツを書き換え、(ｃ)当該コンテンツを第２の記録媒体から第１の記録媒体に回復することによって元のコンテンツを復元する際に、元のコンテンツとおおむね同じ品質のコンテンツを、短時間かつ少ない負荷で回復する記録再生装置を提供する。当該記録再生装置は、ムーブ処理部７２ａとリカバリー処理部７３ａとを備える。前者は、第２の記録媒体に第２のコンテンツと関連付けて復元情報を記録する。復元情報は、コンテンツの移動時に、当該コンテンツを再生不能にするために書き換えられた、１以上の箇所の復元に使用される。また、後者は、第２の記録媒体から復元情報を回復し、当該復元情報を用いることによって、第１の移動元の記録媒体に記録されている残留コンテンツに基づいて、元のコンテンツを復元する。
2008522333.tif 000002
【特許請求の範囲】
【請求項１】
第１の記録媒体に記録された第１のコンテンツに基づいて第２のコンテンツを生成し、第２の記録媒体に前記生成した第２のコンテンツを記録し、再生不能にするために、前記第１コンテンツのひとつ以上の箇所を書き換えることによって、前記第１記録媒体から前記第２記録媒体へ第１コンテンツを移動する記録再生装置であって、
前記第２コンテンツと関連付けて復元情報を前記第２記録媒体に記録する移動手段と、
前記第２記録媒体の復元情報を用いて、前記第１コンテンツの書き換えられた箇所を復元することによって、前記第１記録媒体の残留コンテンツから前記第１コンテンツを回復する回復手段と
を備えることを特徴とする記録再生装置。
【請求項２】
前記移動手段は、第１コンテンツに基づいて生成された第２コンテンツに対応する第１の部分と、復元情報に対応する第２の部分とを含むコンテンツを第２記録媒体に記録する
ことを特徴とする請求項１に記載の記録再生装置。
【請求項３】
前記移動手段は、前記第１部分の再生の終端位置を示すヘッダ情報を含む第３の部分を前記第１の部分の後に追記する
ことを特徴とする請求項２に記載の記録再生装置。
【請求項４】
前記記録再生装置は、さらに、
前記コンテンツの属性を変換する変換手段を備え、
前記第１の部分は、前記変換手段によって属性が変換された後の前記移動対象部分を含む
ことを特徴とする請求項２に記載の記録再生装置。
【請求項５】
前記コンテンツの属性は、前記コンテンツの表示解像度であり、
前記変換手段は、
前記コンテンツの表示解像度を第１の表示解像度から第２の表示解像度に変換する
ことを特徴とする請求項４に記載の記録再生装置。
【請求項６】
前記コンテンツは、フレーム間圧縮符号化された画像ストリームであって、
前記移動手段は、前記第１コンテンツを再生不能にするために、前記画像ストリームの参照画像、及び前記参照画像のヘッダ情報のいずれかが含まれる箇所を書き換える
ことを特徴とする請求項１に記載の記録再生装置。
【請求項７】
前記コンテンツは、パケット多重化されたストリームであって、
前記移動手段は、前記第１コンテンツを再生不能にするために、前記元の記録媒体に記録された前記元のコンテンツのパケット識別情報が含まれる箇所を書き換える
ことを特徴とする請求項１に記載の記録再生装置。
【請求項８】
前記移動手段は、前記第１コンテンツを再生不能にするために、書き換えられた箇所のアドレスを特定するテーブルを生成し、
前記回復手段は、前記テーブルを参照しながら復元する箇所を特定する
ことを特徴とする請求項１に記載の記録再生装置。
【請求項９】
前記移動手段は、前記第１コンテンツがまだ移動されていないとき、早送りや巻き戻しのための重要データのアドレスを特定し、かつ、前記第１コンテンツを再生不能にするために書き換えられた箇所のアドレスを特定するマップ情報を生成し、
前記回復手段は、前記マップ情報を参照しながら復元する箇所を特定する
ことを特徴とする請求項１に記載の記録再生装置。
【請求項１０】
前記移動手段は、所定のデータで上書きすること、及び暗号化することのいずれかによって、前記第１コンテンツを再生不能にするために前記箇所を書き換える
ことを特徴とする請求項１に記載の記録再生装置。
【請求項１１】
前記移動手段は、前記第１コンテンツを再生不能にするために書き換える箇所に対応するデータから前記復元情報を生成する
ことを特徴とする請求項１に記載の記録再生装置。
【請求項１２】
前記移動手段は、前記箇所を暗号化することによって前記第１コンテンツを再生不能にするために書き換えた箇所の復号に使用される復号鍵を用いて前記復元情報を生成する
ことを特徴とする請求項１に記載の記録再生装置。
【請求項１３】
第１コンテンツに基づいて生成された第２コンテンツに対応する第１の部分と、
前記復元情報を含む第２コンテンツを記録する際に、第１コンテンツを再生不能にするためにひとつ以上の箇所を書き換えたときに生成された、前記第１記録媒体に残っている第１コンテンツを再生不能にするために書き換えられたひとつ以上の箇所を復元する際に使用される復元情報に対応する第２の部分と
を含むコンテンツが記録され用いられることを特徴とする記録媒体。
【請求項１４】
第１の記録媒体に記録された第１のコンテンツに基づいて第２のコンテンツを生成し、第２の記録媒体に前記生成した第２のコンテンツを記録するコンテンツ保護方法であって、
前記復元情報を含む第２コンテンツを記録する際に、第１コンテンツを再生不能にするためにひとつ以上の箇所を書き換えたときに生成された、前記第１記録媒体に残っている第１コンテンツを再生不能にするために書き換えられたひとつ以上の箇所を復元する際に使用される復元情報を、前記第２のコンテンツに関連付けて前記第２記録媒体に記録し、  前記第２記録媒体に記録された前記復元情報を回復して使用することによって、前記第１記録媒体に記憶された前記残留コンテンツに基づいて前記第１コンテンツを復元すること
を含むことを特徴とするコンテンツ保護方法。
【請求項１５】
第１の記録媒体に記録された第１のコンテンツに基づいて第２のコンテンツを生成し、第２の記録媒体に前記生成した第２のコンテンツを記録するコンテンツ保護方法をコンピュータシステムに実行させるコンテンツ保護プログラムであって、
前記復元情報を含む第２コンテンツを記録する際に、第１コンテンツを再生不能にするためにひとつ以上の箇所を書き換えたときに生成された、前記第１記録媒体に残っている第１コンテンツを再生不能にするために書き換えられたひとつ以上の箇所を復元する際に使用される復元情報を、前記第２のコンテンツに関連付けて前記第２記録媒体に記録し、  前記第２記録媒体に記録された前記復元情報を回復して使用することによって、前記第１記録媒体に記憶された前記残留コンテンツに基づいて前記第１コンテンツを復元するコンテンツ保護方法をコンピュータシステムに実行させること
を特徴とするコンテンツ保護プログラム。
【請求項１６】
第１の記録媒体に記録された第１コンテンツに基づき第２のコンテンツを生成し、第２の記録媒体に生成された第２コンテンツを記録するコンテンツ保護回路であって、
前記復元情報を含む第２コンテンツを記録する際に、第１コンテンツを再生不能にするためにひとつ以上の箇所を書き換えたときに生成された、前記第１記録媒体に残っている第１コンテンツを再生不能にするために書き換えられたひとつ以上の箇所を復元する際に使用される復元情報を、前記第２のコンテンツに関連付けて前記第２記録媒体に記録する移動手段と、
前記第２記録媒体に記録された前記復元情報を回復して使用することによって、前記第１記録媒体に記憶された前記残留コンテンツに基づいて前記第１コンテンツを復元する回復手段と
を備えることを特徴とするコンテンツ保護回路。
【発明の詳細な説明】
【技術分野】
【０００１】
本発明は、音声・映像などのコンテンツを記録再生する記録再生装置に関し、特に、著作権保護対象のコンテンツに対しては、著作権を保護しながら、他の記録媒体に安全に移動することができる記録再生装置に関する。
【背景技術】
【０００２】
近年、高画質ハイビジョン放送（以下、ＨＤＴＶと呼称する。）を含むデジタルテレビ放送によって、オリジナルと遜色の無い高品質な音声・映像コンテンツ（以下、単にコンテンツと略称する。）を提供することができる。さらに、デジタルテレビ放送で放送されたコンテンツを受信し、受信したコンテンツをハードディスク、書き換え可能な光ディスクなどに記録するという特徴を有するデジタルビデオレコーダも商品化されている。
【０００３】
これに伴い、映像コンテンツの著作権保護の重要性が増し、例えば、衛星デジタル放送、地上デジタル放送においては、コピー・ワンス制御と呼ばれる仕組みが２００４年から導入されている。
【０００４】
コピー・ワンス制御システムを以下に説明する。まず、「１回だけ録画可能」の制御信号（これよりコピー・ワンス制御信号と呼称する）を音声・映像データに加え、付加後のデータを暗号化する。さらに、暗号化して得られたデジタルデータを放送する。このとき、受信した放送におけるデジタルデータを１回だけ復号することが許容される。すなわち、コピー・ワンスの制御信号が加えられた音声・映像データは、ハードディスク、書き換え可能な光ディスクなどの記録媒体に記録することができる。そのようなコピー・ワンスの制御信号は、記録された時点でコピー禁止の制御信号に書き換えられる。それゆえ、得られた信号によって記録されたデータを別の記録媒体にコピーすることが禁止される。しかしながら、以下に述べる例外がある。最初に記録した記録媒体から削除または再生無効化したうえで別の記録媒体に移動することは認められている（例えば、非特許文献１参照。）。
【非特許文献１】ＡＲＩＢのＴＲ−Ｂ１４による、読み出された復元情報に含まれるひとつ以上の再生重要情報を用いる、「地上デジタルテレビジョン放送運用規定技術資料」第八編「地上デジタルテレビジョン放送コンテンツ保護規定」
【０００５】
前記従来の技術を用いて、デジタルテレビ放送を通じて、著作権保護対象のコンテンツを、例えば、書き換え可能な光ディスクなどのような第１の記録媒体に、直接記録した場合を例にあげる。この例においては、コンテンツを書き換えられないが、第１の記録媒体上で再生は無効化される。記録再生装置でそのようなコンテンツを再生はできなくとも、パソコン用ドライブを用いて読み出せる場合がある。すなわち、そのようなコンテンツが不正にコピーされてしまう恐れがある。コンテンツを第１の記録媒体から第２の記録媒体に移動する際に再生を無効化するために、第１の記録媒体上でコンテンツを書き換える場合も例にあげる。この例においては、第１の記録媒体上にコンテンツを戻す際に、そのコンテンツを第２の記録媒体から書き戻さなければならない。そのため、長い時間がかかり処理負荷が増すという問題が生じる。
【０００６】
また、コピー・ワンス制御を実行できる従来の記録再生装置は、光ディスク等の外部記録媒体に、コンテンツを移動する。そのため、容量の限られた記録媒体にコンテンツを移動する場合、データレートを下げるために、音声・映像データを再圧縮符号化してからそのような記憶媒体に移動する場合がある。データレートを下げたコンテンツを移動する場合において、コンテンツを再生不能にするためにデータを一旦書き換えると、そのコンテンツを二度と元の品質で再生することができなくなるという問題が生じる。
【発明の開示】
【０００７】
そこで、本発明は、前記問題に鑑みてなされたものである。本発明の目的のひとつは、コンテンツを第１の記録媒体から第２の記録媒体に移動する際に、コンテンツを再生不能にするために、第１の記録媒体上のコンテンツを書き換えることができ、第２の記録媒体から第１の記録媒体にコンテンツのデータを移動する際に、処理負荷が軽く短時間で、略もとの品質で再生されるコンテンツに回復できる記録再生装置を提供することである。
【０００８】
前記目的を達成するために、本発明に係る記録再生装置は、以下を備え、第１の記録媒体に記録された第１コンテンツに基づいて第２のコンテンツを生成し、第２の記録媒体に生成された第２コンテンツを記録する。すなわち、下記のふたつを含む。一つは、移動手段である。前記移動手段は、復元情報を第２の記録メディアに第２のコンテンツと関連付けて記録する。前記復元情報は、残留コンテンツの一つ以上の箇所を回復するのに使われる。前記残留コンテンツは、復元情報を含む第２のコンテンツが記録される時点で、第１の記録メディアに残留している。前記残留コンテンツは第１のコンテンツの一つ以上の箇所が、第１のコンテンツを再生不能にするために書き換えられたときに生成される。もう一つは、回復手段である。前記回復手段は、第２の記録媒体に記録された復元情報を読み出し、第１の記録媒体に記録された残留コンテンツを用いて元のコンテンツを回復する際に、復元情報を用いて元のコンテンツを復元する。
【０００９】
回復手段は、元の記憶媒体に記録された残留コンテンツに基づき、元のコンテンツを回復する際に、コピー先の記録媒体上のコンテンツと関連付けて記録された復元情報を読み出し、再生不能にするために書き換えられた箇所を、読み出した復元情報を用いて回復する。これによって、コピー先の記録媒体上にコンテンツ全体を書き戻すことなしに、元のコンテンツが回復される。それゆえ、当該回復手段を用いれば、コンテンツの著作権をセキュアに保護しながら、短時間で処理負荷を増加させることなく元のコンテンツを回復することが可能になる。
【００１０】
なお、本発明は、記録再生装置として実現されるだけではなく、（ａ）記録再生装置を制御する方法（以下、記録再生制御方法と呼称する。）、（ｂ）記録再生制御方法をコンピュータシステム等に実行させる記録再生制御プログラム、（ｃ）記録再生制御プログラムを記録した記録媒体等として実現されるとしてもよい。
【００１１】
また、記録再生装置において生成されたコンテンツを記録した記録媒体として実現されるとしてもよい。
【００１２】
また、記録再生装置に組み込まれて著作権保護対象のコンテンツを保護する機能（以下、コンテンツ保護機能と呼称する。）が組み込まれたシステムＬＳＩ、コンテンツ保護機能をＦＰＧＡ、ＣＰＬＤ等のプログラマブル・ロジック・デバイスに形成するＩＰコア（以下、コンテンツ保護コアと呼称する。）として実現されるとしてもよい。また、コンテンツ保護コアを記録した記録媒体として実現されるとしてもよい。
【００１３】
以上、本発明に係る記録再生装置によれば、著作権保護対象のコンテンツ全体またはその一部を第１の記録媒体から第２の記録媒体に移動する際に、移動対象のコンテンツ全体またはその一部に含まれる再生重要情報を再生不能にするために書き換える。
【００１４】
このとき、コンテンツのデータを再生不能にするために書き換える前に、再生重要情報を抽出し、抽出した１乃至２以上の再生重要情報から復元情報を構成し、構成した復元情報をコピー先の記録媒体のコンテンツと対応付けて第２の記録媒体に記録する。さらに、元の記録媒体に記録されている残留コンテンツに基づいて元のコンテンツを回復する際に、コピー先の記録媒体のコンテンツを全部書き戻す代わりに、コピー先の記録媒体のコンテンツと対応付けて記録されている復元情報を読み出し、読み出した復元情報に含まれる１乃至２以上の再生重要情報で再生不能な箇所を上書きすることにより、コンテンツを回復する。
【００１５】
これによって、コンテンツの著作権をセキュアに保護しながら、処理負荷を増加させることなく短時間で元のコンテンツを回復することができる。
【００１６】
また、再生不能にするために暗号化され書き換えられた箇所を復号する際に使用される復号鍵から復元情報を構成でき、構成した復元情報をコピー先の記録媒体のコンテンツと対応付けてコピー先の記録媒体に記録する。さらに、元の記録媒体に記録されている残留コンテンツに基づいて元のコンテンツを回復する際に、コピー先の記録媒体のコンテンツを全部書き戻す代わりに、コピー先の記録媒体のコンテンツと対応付けて記録されている復元情報を読み出し、読み出した復元情報に含まれる復号鍵を使用して、再生不能にするために書き換えられた箇所を復号することにより、元のコンテンツを回復する。
【００１７】
これによって、元のコンテンツの著作権をセキュアに保護しながら、処理負荷を増加させることなく短時間で元のコンテンツを回復することができる。さらに、復元情報を再生重要情報から構成する場合よりも、復元情報を復号鍵から構成する場合の方が、第２の記録媒体に記録される移動後の復元情報のデータサイズを小さくすることができる。
【００１８】
また、本発明は、移動されたコンテンツと復元情報とをコピー先の記録媒体上のひとつのファイルにまとめる。これにより、移動されたコンテンツファイルが別の記録媒体に移動された場合でも、コピー先の記録媒体を用いてリカバリー処理をおこなうことができる。
【００１９】
さらに、コンテンツをリカバリーする際に参照する参照テーブルを作成することにより、元のコンテンツを短時間で回復することが可能になる。
【００２０】
（本願の背景技術に関する詳細情報）
２００４年１１月３０日に出願された、明細書と図面と請求項とを含む日本国特許出願番号２００４‐３４７５４１を本願に引用して援用する。
【発明を実施するための最良の形態】
【００２１】
（実施の形態１）
以下、本発明の実施の形態１について図面を参照しながら説明する。
【００２２】
図１に示されるように、本発明の実施の形態１における記録再生装置１ａは、衛星デジタル放送、地上デジタル放送などによって放送された音声・映像コンテンツ（以下、単にコンテンツと略称する。）を記録再生する装置である。さらに、そのような装置は、著作権保護対象のコンテンツに対しては、移動することができても複写することができないようにする機能（以下、コンテンツ保護機能と呼称する。）を備えている。
【００２３】
例えば、第１の記録媒体２ａに記録されているコンテンツを第２の記録媒体３ａに移動する際に再生不能にする。そして、第１の記録媒体２ａでコンテンツをリカバリーする際に、第２の記録媒体２ａに記録されているコンテンツを削除するか再生不能状態にするために不要なデータを上書きして、第１記録媒体２ａに記録されている再生不能なコンテンツを復元する。
【００２４】
このことを踏まえて実施の形態１における記録再生装置について説明する。
先ず、実施の形態１における記録再生装置のハードウェア構成について説明する。
【００２５】
図２に示されるように、記録再生装置１ａは、マイクロプロセッサ１１ａ、システムＬＳＩ（Large Scale Integration）１２ａ、ＲＡＭ（Random Access Memory）１３ａ、ＲＯＭ（Read Only Memory）１４ａ、入出力インターフェース１５ａなどを備える。
【００２６】
マイクロプロセッサ１１ａは、記録再生処理を実行するにあたって要する諸々の処理を実行する中央演算処理ユニットである。
【００２７】
システムＬＳＩ１２ａは、記録再生処理を実行するにあたって要する画像処理を実行する集積回路である。例えば、ＭＰＥＧ（Moving Picture Experts Group）、ＪＰＥＧ（Joint Photographic Experts Group）、Ｈ．２６４等のような画像圧縮方式に基づいて画像を圧縮伸長するコーデックなどである。
【００２８】
ＲＡＭ１３ａは、データの読み出し書き込みが随時可能な半導体メモリである。例えば、ＤＲＡＭ（Dynamic Random Access Memory）やＳＲＡＭ（Static Random Access Memory）などである。
【００２９】
ＲＯＭ１４ａは、読み出し専用のメモリである。例えば、電気的に内部データを書き換えることができるＥＥＰＲＯＭ（Electronically Erasable and Programmable Read Only Memory）などである。
【００３０】
入出力インターフェース１５ａ（図示せず）は、内部機器と記録再生装置１ａに接続されている外部機器とに対してデータの入出力を行う。それは、例えば、（ａ）アナログ映像入出力、アナログ音声入出力、デジタル映像入出力、デジタル音声入出力等のような音声・映像入出力インターフェース、（ｂ）Ｂｌｕｅｔｏｏｔｈ、ＩｒＤＡ（Infrared Data Association）、赤外線通信ポート等のような短距離無線伝送インターフェース、（ｃ）ＵＳＢ（Universal Serial Bus）、ＩＥＥＥ（Institute of Electrical and Electronics Engineers）１３９４、シリアルＡＴＡ（AT Attachment）等のようなシリアル伝送インターフェース、（ｄ）ＡＴＡＰＩ（AT Attachment Packet Interface）等のようなパラレル伝送インターフェース、（ｅ）ＩＥＥＥ８０２．３、ＩＥＥＥ８０２．１１等のようなネットワークインターフェースなどである。
【００３１】
さらに、記録再生装置１ａは、入出力インターフェース１５ａに接続されている第１記録再生ドライブ２１ａ、第２記録再生ドライブ３１ａも備える。
【００３２】
第１記録再生ドライブ２１ａは、第１記録媒体２ａに対して読み書き可能な装置である。
【００３３】
第２記録再生ドライブ３１ａは、第２記録媒体３ａに対してデータの読み書きが可能な装置である。
【００３４】
第１記録媒体２ａ、第２記録媒体３ａとしては、ＢＤ−ＲＥ（Blu-ray Disk Rewritable）、ＨＤＤ（Hard Disk Drive）、ＤＶＤ−ＲＡＭ、ＳＤ（Secure Digital）メモリカードなどである。
【００３５】
なお、ＲＯＭ１４ａには、記録再生装置１ａを制御する組み込みＯＳ（Operating System）、ＯＳが周辺機器を制御する際に要するデバイスドライバ、ＯＳ上で動作するミドルウェア、ユーザインターフェース等のアプリケーションソフト等（以下、記録再生装置制御プログラムと呼称する。）（図示せず）が格納されている。そして、記録再生装置制御プログラムは、記録再生装置１ａの通電とともに、ＲＯＭ１４ａから読み出されてＲＡＭ１３ａに格納される。このようにして、本発明に係る各機能を記録再生装置１ａに実現する。
【００３６】
続いて、実施の形態１における記録再生装置の機能構成について説明する。
図３に示されるように、記録再生装置１ａは、入力部５１ａ、第１記録再生部５２ａ、コンテンツ復号部５３ａ、出力部５４ａ、第２記録再生部５５ａなどを備える。
【００３７】
入力部５１ａは、チューナにより選局されたデジタルテレビ放送信号（信号は図には示されてはいない）を復調し、復調したデジタルテレビ放送信号をコンテンツとして第１記録再生部５２ａに出力する。また、リモート・コントローラ等を介してユーザから指示や設定に係る操作情報を受け付け、受け付けた操作情報を第１記録再生部５２ａに出力する。
【００３８】
第１記録再生部５２ａは、入力部５１ａから出力されたコンテンツを記録し、出力されたコンテンツに対して必要な処理を施し、当該コンテンツを第１記録媒体２ａに書き込む。例えば、第１記録再生部５２ａは、著作権保護対象のコンテンツに含まれるコピー・ワンスの制御信号をコピー禁止の制御信号に書き換える。
【００３９】
また、第１記録再生部５２ａは、再生対象のコンテンツを第１記録媒体２ａから読み出し、読み出したコンテンツをコンテンツ復号部５３ａに出力することによって、第１記録媒体２ａに記録されているコンテンツを再生する。
【００４０】
コンテンツ復号部５３ａは、第１記録再生部５２ａから出力されたコンテンツを音声・映像信号を生成するために復号し、復号した音声・映像信号を出力部５４ａに出力する。
【００４１】
出力部５４ａは、ディスプレイ、スピーカなどの外部装置（図示せず）に、コンテンツ復号部５３ａから出力された音声・映像信号を出力する。
【００４２】
さらに、第１記録再生部５２ａは、移動対象のコンテンツを第１記録媒体２ａから読み出し、読み出したコンテンツを第２記録再生部５５ａに出力することによって、著作権保護対象のコンテンツを第１記録媒体２ａから第２記録媒体３ａに移動する。
【００４３】
第２記録再生部５５ａは、第１記録再生部５２ａから出力されたコンテンツに対して必要な処理を施し、当該コンテンツを第２記録媒体３ａに書き込む。
【００４４】
続いて、実施の形態１における記録再生装置の詳細な機能構成について説明する。ここでは、主に、第１記録再生部５２ａについて説明する。
【００４５】
図４Ａに示されるように、第１記録再生部５２ａは、コンテンツ保護部６１ａ、読み出し部６２ａ、書き込み部６３ａなどを備える。
【００４６】
コンテンツ保護部６１ａは、コンテンツ保護機能を有し、第１記録媒体２ａに記録されるコンテンツと、記録されているコンテンツの著作権とを保護する。
【００４７】
読み出し部６２ａは、読み出し指定を受けたコンテンツを第１記録媒体２ａから読み出す。
【００４８】
書き込み部６３ａは、書き込み指定を受けたコンテンツを第１記録媒体２ａに書き込む。
【００４９】
図４Ｂに示されるように、コンテンツ保護部６１ａは、さらに、制御部７１ａ、ムーブ処理部７２ａ、リカバリー処理部７３ａなどを備える。
【００５０】
制御部７１ａは、入力部５１ａから出力された操作情報、すなわち、ユーザによって入力された操作情報に応じて、下記（１）、（２）の処理のいずれかを行う。
【００５１】
（１）コンテンツ全体またはその一部を移動する場合には、ムーブ処理部７２ａを制御してムーブ処理を実行させる。
【００５２】
（２）コンテンツ全体またはその一部を回復する場合には、リカバリー処理部７３ａを制御してリカバリー処理を実行させる。
【００５３】
ムーブ処理部７２ａは、移動対象のコンテンツ全体またはその一部（以下、ムーブ対象データと呼称する。）を第１記録媒体２ａから読み出し、読み出したムーブ対象データを第２記録再生部５５ａに出力する。また、第１記録媒体２ａに記録されているムーブ対象データから再生重要情報を抽出し、抽出した箇所の再生重要情報を再生不能にするために書き換える。そして、ムーブ処理部７２ａは、（ａ）ムーブ対象データを第２記録再生部５５ａに出力し、（ｂ）終端情報を第２記録再生部５５ａに出力し、（ｃ）ムーブ対象データから抽出した１乃至２以上の再生重要情報を復元情報として第２記録再生部５５ａに出力する。
【００５４】
リカバリー処理部７３ａは、回復対象のコンテンツ全体またはその一部（以下、リカバリー対象データと呼称する。）と対応して第２記録媒体３ａに記録されている復元情報を読み出し、読み出した復元情報に含まれる１乃至２以上の再生重要情報を使用して、リカバリー対象データを復元する。そして、リカバリー処理部７３ａは、リカバリー対象データを徐々に復元し、リカバリー対象データと対応して第２記録媒体３ａに記録されているコンテンツを削除する。
【００５５】
なお、第２記録再生部５５ａは、第１記録再生部５２ａと同一の構成としてもよいし、第１記録再生部５２ａとは異なり、コンテンツ保護部６１ａを省略した構成としてもよい。
【００５６】
なお、データを再生不能に書き換える方法としては、下記（ａ）〜（ｃ）のいずれかの方法を採用するものとする。
【００５７】
（ａ）データを削除し、そのスペースを空けておく。
【００５８】
（ｂ）例えば、全てのビットが“１”又は“０”で表されるような、無関係なデータで上書きをする。
【００５９】
（ｃ）記録再生装置１ａに内蔵した独自の暗号鍵を使用して暗号化する。
【００６０】
「再生重要情報」とは、コンテンツを再生するにあたって重要な情報である。例えば、図５に示されるように、コンテンツ４０１のデータを構成するＧＯＰ（Group of Picture）に含まれるＩピクチャ４２１、４２２はヘッダ情報などである。
【００６１】
続いて、実施の形態１における記録再生装置によってムーブ処理が実行される前と実行された後とのコンテンツのデータ構造について説明する。
【００６２】
図６、図７に示されるように、ムーブ処理が実行される前は、コンテンツ１０１が第１記録媒体２ａに記録されている。ムーブ処理が実行された際に、コンテンツ１０１の部分１１０が第２記録媒体３ａに移動される。そして、ムーブ処理が実行された後は、コンテンツ１０２が第１記録媒体２ａに記録され、新たに、コンテンツ２０１が第２記録媒体３ａに記録される。
【００６３】
ここで、コンテンツ１０２は、コンテンツ１０１の部分１１１〜１１７を再生不能に書き換えた後のコンテンツ１０１である。
【００６４】
コンテンツ２０１は、先頭から順に、第１記録媒体２ａから第２記録媒体３ａに移動された部分１１０からなる部分２１０、終端情報からなる部分２１１、復元情報からなる部分２１２から構成される。
【００６５】
「終端情報」とは、コンテンツの再生区間の終端を示す情報をいう。例えば、ＭＰＥＧ規格の“ｓｅｑｕｅｎｃｅ＿ｅｎｄ＿ｃｏｄｅ”などである。
【００６６】
また、「復元情報」とは、移動時に再生不能にするために書き換えられた部分を復元する際に使用される。例えば、部分１１１〜１１７から抽出された再生重要情報から構成される情報などである。
【００６７】
例えば、コンテンツ２０１のように、部分２１０、部分２１１、部分２１２の順に並んだデータを１つのファイルにまとめることによって、別の記録媒体にコンテンツ２０１を移動したとしても、コピー先の記録媒体を用いてリカバリー処理を行うことができる。また、ファイルの先頭からコンテンツを再生しても、終端情報（再生区間の終端を示す情報）が部分２１１に含まれ、この終端情報によって部分２１０の次に復元情報が読み出され再生されることを抑止し、誤動作を引き起こすことを防止することができる。さらに、ファイルの最後の部分に復元情報を置くことにより、移動する部分が確定した後に復元情報を置くことになり、データ構造が単純になる。
【００６８】
続いて、実施の形態１における記録再生装置によってリカバリー処理が実行される前と実行された後とのコンテンツのデータ構造について説明する。
【００６９】
図６、図７に示されるように、リカバリー処理が実行される前は、コンテンツ１０２が第１記録媒体２ａに記録されている。リカバリー処理が実行された際に、コンテンツ２０１の部分２１２が第１記録媒体２ａに移動される。そして、リカバリー処理が実行された後は、コンテンツ２０１が第２記録媒体３ａから削除され、コンテンツ１０１が第１記録媒体２ａに記録される。
【００７０】
ここで、コンテンツ１０１は、第２記録媒体３ａから読み出された部分２１２に含まれる復元情報を使用して、コンテンツ１０１の部分１２１〜１２７を復元した後のコンテンツ１０２である。
【００７１】
ムーブ処理部７２ａは、コンテンツ１０１の部分１１１〜１１７の再生重要情報を再生不能にするために書き換える。
【００７２】
リカバリー処理部７３ａは、コンテンツ１０２の部分１２０を回復する際に、第２記録媒体３ａからコンテンツ２０１の部分２１２を読み出し、再生不能にするために書き換えられた部分１２１〜１２７を復元する。このとき、参照テーブル（図７参照。）を参照しながら、読み出した復元情報に含まれる１乃至２以上の再生重要情報を元の箇所に書き戻す。
【００７３】
続いて、次の記載は、実施の形態１における記録再生装置が、コンテンツを再生不能にするよう書き換えられたコンテンツを回復する際に参照される参照テーブルのデータ構造に関する。
【００７４】
図８Ｂに示されるように、参照テーブル３０１は、ムーブ処理が施された部分に係る情報が登録されるエリア３１１と、部分１２１〜１２７の夫々の開始アドレスが登録されるコラム３１２と、部分１２１〜１２７の夫々のオフセットが登録されるコラム３１３から構成される。
【００７５】
例えば、ムーブ処理が施されて再生不能に書き換えられた部分１２０を例にする。エリア３１１には、コンテンツ１０２の識別情報である“ｓｔｒｅａｍ＿ＰＩＤ＝Ｘ”と、部分１２０の開始アドレスである“ｍｏｖｅ＿ｓｔａｒｔ＝ａ０”、部分１２０のオフセットである“ｍｏｖｅ＿ｏｆｆｓｅｔ＝ｂ０”が示されている。コラム３１２には、部分１２１の開始アドレスである“ｍｉｓｓｉｎｇ＿ｂｌｏｃｋ＿ｓｔａｒｔ＝ａ１”が示されている。また、コラム３１３には、部分１２１のオフセットである“ｍｉｓｓｉｎｇ＿ｂｌｏｃｋ＿ｏｆｆｓｅｔ＝ｂ１”などが示されている。
【００７６】
なお、参照テーブル３０１は、部分１２０に対してムーブ処理が施される際に生成され、第１記録媒体２ａに記録される。
【００７７】
続いて、実施の形態１における記録再生装置によって実行されるムーブ処理とリカバリー処理とについて説明する。
【００７８】
図９に示されるように、制御部７１ａは、ユーザ４からのリクエストに応じて、下記（ａ）、（ｂ）の処理のいずれかを行う。
【００７９】
処理（ａ）は、ムーブリクエストを受け付けた場合（シーケンスＳ１１）に実行される。ムーブ処理部７２ａを制御して下記のムーブ処理を実行させる。
【００８０】
図９、図１０に示されるように、ムーブ処理部７２ａは、制御部７１ａにおいて受け付けたムーブリクエストによって特定されるムーブ対象データを第１記録媒体２ａから読み出し（ステップＳ１０１）、読み出したムーブ対象データに対する書き込み要求を第２記録再生部５５ａに出力する（ステップＳ１０２）。
【００８１】
これに対して、第２記録再生部５５ａは、ムーブ処理部７２ａから出力された書き込み要求を受け付け、受け付けた書き込み要求と共に受け取ったムーブ対象データを第２記録媒体３ａに書き込む（シーケンスＳ１２）。
【００８２】
また、ムーブ処理部７２ａは、第１記録媒体２ａに記録されているムーブ対象データから再生重要情報を抽出し（ステップＳ１０３）、抽出した箇所の再生重要情報を再生不能にするために書き換える（ステップＳ１０４）。そして、ムーブ対象データを第２記録再生部５５ａに出力すると（ステップＳ１０５）、終端情報に対する書き込み要求を第２記録再生部５５ａに出力する（ステップＳ１０６）。
【００８３】
これに対して、第２記録再生部５５ａは、ムーブ処理部７２ａから出力された書き込み要求を受け付け、受け付けた書き込み要求と共に受け取った終端情報をムーブ対象データがすでに書き込まれた第２記録媒体３ａに追記する（シーケンスＳ１３）。
【００８４】
さらに、ムーブ処理部７２ａは、第１記録媒体に記録されていたムーブ対象データから抽出した１乃至２以上の再生重要情報に基づいて復元情報を構成し、構成した復元情報に対する書き込み要求を第２記録再生部５５ａに出力する（ステップＳ１０７）。
【００８５】
これに対して、第２記録再生部５５ａは、ムーブ処理部７２ａから出力された書き込み要求を受け付け、当該書き込み要求と共に受け取った復元情報をムーブ対象データがすでに書き込まれた第２記録媒体３ａに追記する（シーケンス１４）。
【００８６】
この時点で、ムーブ処理部７２ａは、ムーブ処理を終了する。
処理（ｂ）は、リカバリーリクエストを受け付けた場合（シーケンスＳ２１）に実行される。リカバリー処理部７３ａを制御して下記のリカバリー処理を実行させる。
【００８７】
図９、図１１に示されるように、リカバリー処理部７３ａは、制御部７１ａにおいて受け付けたリカバリーリクエストによって特定されるコンテンツ全体またはその一部（以下、リカバリー対象データと呼称する。）と対応して第２記録媒体３ａに記録されている復元情報に対する読み出し要求を第２記録再生部５５ａに出力する（シーケンスＳ２２）。
【００８８】
これに対して、第２記録再生部５５ａは、リカバリー処理部７３ａから出力された読み出し要求を受け付け、受け付けた読み出し要求によって特定される復元情報を第２記録媒体３ａから読み出し（ステップＳ１１１）、読み出した復元情報をリカバリー処理部７３ａに渡す（シーケンスＳ２３）。
【００８９】
さらに、リカバリー処理部７３ａは、第２記録再生部５５ａから渡された復元情報を受け取り、受け取った復元情報に含まれる１乃至２以上の再生重要情報を使用して、リカバリー対象データにおける復元部分を復元する（ステップＳ１１２）。また、リカバリー処理部７３ａは、リカバリー対象データを復元しながら、リカバリー対象データと対応して第２記録媒体３ａに記録されているコンテンツに対する削除要求を第２記録再生部５５ａに出力する（シーケンスＳ２４）。
【００９０】
これに対して、第２記録再生部５５ａは、リカバリー処理部７３ａから出力された削除要求を受け付け、受け付けた削除要求によって特定されるコンテンツを第２記録媒体３ａから削除する（ステップＳ１１３）。
【００９１】
そして、リカバリー処理部７３ａは、リカバリー対象データが復元され（ステップＳ１１４）、リカバリー対象データと対応して第２記録媒体３ａに記録されているコンテンツが削除されると（ステップＳ１１５）、リカバリー処理を終了する。
【００９２】
以上説明したように実施の形態１における記録再生装置によれば、著作権保護対象のコンテンツ全体またはその一部を第１の記録媒体から第２の記録媒体に移動する際に、移動対象のコンテンツ全体またはその一部に含まれる再生重要情報を再生不能にするために書き換える。
【００９３】
このとき、再生不能にするために書き換える前に、再生重要情報を抽出し、抽出した１乃至２以上の再生重要情報に基づいて復元情報を構成し、構成した復元情報をコピー先の記録媒体のコンテンツと対応付けて第２の記録媒体に記録する。さらに、第１の記録媒体に記録されている残留コンテンツに基づいて元のコンテンツを回復する際、コピー先のコンテンツと対応付けて記録されている復元情報を読み出す。つまり、コンテンツを全部書き戻す必要はない。次に、読み出した復元情報に含まれる１乃至２以上の再生重要情報で再生不能にするために書き換えられた箇所を上書きする。この時点で、コンテンツの回復が完了する。
【００９４】
これによって、コンテンツの著作権をセキュアに保護しながら、処理負荷を増加させることなく短時間で元のコンテンツを回復することができる。
【００９５】
（実施の形態２）
次に、本発明の実施の形態２について図面を参照しながら説明する。
【００９６】
本発明の実施の形態２における記録再生装置は、ムーブ処理を実行する際に、鍵を生成して、再生重要情報を暗号化する。当該記録再生装置は、暗号化した再生重要情報を復号する復号鍵を、コピー先の記録媒体のコンテンツと対応付けて第２記録媒体に記録することを特徴とする。
【００９７】
このことを踏まえて実施の形態２における記録再生装置について説明する。なお、実施の形態１と同一の構成要素については同一の符号を付して説明を省略する。
【００９８】
先ず、実施の形態２における記録再生装置の詳細な機能構成について説明する。ここでは、主に、コンテンツ保護部について説明する。
【００９９】
図１２に示されるように、コンテンツ保護部６１ｂは、コンテンツ保護部６１ａと比べて、下記（ａ）、（ｂ）の点が異なる。
【０１００】
（ａ）コンテンツ保護部６１ｂは、ムーブ処理部７２ａの代わりにムーブ処理部７２ｂを備える。新たに、鍵生成部７３ｂおよび暗号化部７４ｂを備える。
【０１０１】
ムーブ処理部７２ｂは、ムーブ処理部７２ａと比べて、ムーブ処理（図１６参照。）を実行する際に、再生不能にするために移動対象のコンテンツ全体またはその一部に含まれる再生重要情報を暗号化することによって書き換える。
【０１０２】
鍵生成部７３ｂは、データを暗号化する際に利用される暗号鍵と、暗号化されたデータを復号する際に利用される復号鍵を生成する。
【０１０３】
暗号化部７４ｂは、ムーブ対象のコンテンツ全体またはその一部に含まれる再生重要情報を暗号化する。
【０１０４】
（ｂ）コンテンツ保護部６１ｂは、リカバリー処理部７５ａの代わりにリカバリー処理部７５ｂを備える。新たに、復号鍵保持部７６ｂ、復号部７７ｂを備える。
【０１０５】
リカバリー処理部７５ａと異なり、リカバリー処理部７５ｂは、リカバリー処理（図１７参照。）を実行する際に、回復対象のコンテンツと対応して第２記録媒体に記録されているコンテンツから復号鍵を取り出し、取り出した復号鍵を利用して、回復対象のコンテンツ全体またはその一部に含まれる暗号化部分を復号する。
【０１０６】
復号鍵保持部７６ｂは、取り出した復号鍵を保持する。
復号部７７ｂは、復号鍵保持部７６ｂに保持されている復号鍵を利用して、暗号化された再生重要情報を復号する。
【０１０７】
続いて、実施の形態２における記録再生装置においてムーブ処理が実行される前と実行された後とのコンテンツのデータ構造について説明する。
【０１０８】
図１３、図１４に示されるように、ムーブ処理が実行された後は、コンテンツ１０３が第１記録媒体２ｂに記録され、新たに、コンテンツ２０２が第２記録媒体３ｂに記録される。
【０１０９】
このとき、ムーブ処理部７２ｂは、コンテンツ１０１の部分１１１〜１１７の再生重要情報を再生不能にするために暗号化して書き換える。
【０１１０】
ここで、コンテンツ１０３は、コンテンツ１０１の部分１１１〜１１７を再生不能にするために暗号化して書き換えた後のコンテンツ１０１である。
【０１１１】
コンテンツ２０２は、先頭から順に、第１記録媒体２ｂから第２記録媒体３ｂに移動された部分１１０からなる部分２１０、終端情報からなる部分２１１、復元情報からなる部分２１３から構成される。
【０１１２】
図１３、図１４に示されるように、リカバリー処理が実行される前は、コンテンツ１０３が第１記録媒体２ｂに記録されている。リカバリー処理が実行された際に、コンテンツ２０２の部分２１３が第２記録媒体３ｂから読み出される。そして、リカバリー処理が実行された後は、コンテンツ２０２が第２記録媒体３ｂから削除され、コンテンツ１０１が第１記録媒体２ｂに記録される。
【０１１３】
リカバリー処理部７５ｂは、コンテンツ１０３の部分１３０を回復する際に、第２記録媒体３ｂからコンテンツ２０２の部分２１３を読み出し、読み出した部分２１３に含まれる復元情報を使用して、再生不能にするために書き換えられた部分１３１〜１３７を復元する。このとき、参照テーブル（図７参照。）を参照しながら、読み出した復元情報に含まれる復号鍵情報を使用して復号する。
【０１１４】
ここで、コンテンツ１０１は、第２記録媒体３ｂから読み出された部分２１３に含まれる復元情報を使用して、コンテンツ１０１の部分１２１〜１２７を復元した後のコンテンツ１０２である。
【０１１５】
続いて、実施の形態２における記録再生装置において実行されるムーブ処理とリカバリー処理とについて説明する。
【０１１６】
図１５に示されるように、制御部７１ａは、ユーザ４から受け付けるリクエストに応じて、下記（ａ）、（ｂ）の処理のいずれかを行う。
【０１１７】
処理（ａ）は、ムーブリクエストを受け付けた場合（シーケンスＳ３１）に実行される。ムーブ処理部７２ｂを制御して下記のムーブ処理を実行させる。
【０１１８】
図１５、図１６に示されるように、ムーブ処理部７２ｂは、鍵生成要求を鍵生成部７３ｂに出力する。
【０１１９】
これに対して、鍵生成部７３ｂは、暗号鍵と復号鍵とを生成し（ステップＳ２０１）、生成した暗号鍵を暗号化部７４ｂに渡し、復号鍵をムーブ処理部７２ｂに渡す。
【０１２０】
また、ムーブ処理部７２ａは、制御部７１ａにおいて受け付けたムーブリクエストによって特定されるムーブ対象データを第１記録媒体２ａから読み出し（ステップＳ１０１）、読み出したムーブ対象データに対する書き込み要求を第２記録再生部５５ａに出力する（ステップＳ１０２）。
【０１２１】
これに対して、第２記録再生部５５ａは、ムーブ処理部７２ｂから出力された書き込み要求を受け付け、当該書き込み要求と共に受け取ったムーブ対象データを第２記録媒体３ｂに書き込む（シーケンスＳ３２）。
【０１２２】
また、ムーブ処理部７２ｂは、暗号化要求を暗号化部７４ｂに出力する。
これに対して、暗号化部７４ｂは、鍵生成部７３ｂから渡された暗号鍵を使用して、第１記録媒体２ｂに記録されているムーブ対象データにおける再生重要情報を暗号化する。
【０１２３】
そして、ムーブ処理部７２ｂは、ムーブ対象データを第２記録再生部５５ａに出力すると（ステップＳ１０５）、終端情報に対する書き込み要求を第２記録再生部５５ａに出力する（ステップＳ１０６）。
【０１２４】
これに対して、第２記録再生部５５ａは、ムーブ処理部７２ｂから出力された書き込み要求を受け付け、当該書き込み要求と共に受け取った終端情報をムーブ対象データがすでに書き込まれた第２記録媒体３ｂに追記する（シーケンスＳ３３）。
【０１２５】
さらに、ムーブ処理部７２ｂは、鍵生成部７３ｂから渡された暗号鍵から復元情報を構成し、構成した復元情報に対する書き込み要求を第２記録再生部５５ａに出力する（ステップＳ２０３）。
【０１２６】
これに対して、第２記録再生部５５ａは、ムーブ処理部７２ｂから出力された書き込み要求を受け付け、当該書き込み要求と共に受け取った復元情報をムーブ対象データがすでに書き込まれた第２記録媒体３ｂに追記する（シーケンス３４）。
【０１２７】
この時点で、ムーブ処理部７２ｂは、ムーブ処理を終了する。
処理（ｂ）は、リカバリーリクエストを受け付けた場合（シーケンスＳ４１）に実行される。リカバリー処理部７５ｂを制御して下記のリカバリー処理を実行させる。
【０１２８】
図１５、図１７に示されるように、リカバリー処理部７５ｂは、制御部７１ａにおいて受け付けたリカバリーリクエストによって特定されるリカバリー対象データと対応して第２記録媒体３ｂに記録されている復元情報に対する読み出し要求を第２記録再生部５５ａに出力する（シーケンスＳ４２）。
【０１２９】
これに対して、第２記録再生部５５ａは、リカバリー処理部７５ｂから出力された読み出し要求を受け付け、受け付けた読み出し要求によって特定される復元情報を第２記録媒体３ｂから読み出し（ステップＳ２１１）、読み出した復元情報をリカバリー処理部７５ｂに渡す（シーケンスＳ４３）。
【０１３０】
さらに、リカバリー処理部７５ｂは、第２記録再生部５５ａから渡された復元情報を受け取り、受け取った復元情報に含まれる復号鍵を使用して、リカバリー対象データにおける暗号化部分を復元する（ステップＳ２１２）。また、リカバリー処理部７５ｂは、リカバリー対象データを復元しながら、リカバリー対象データと対応して第２記録媒体３ｂに記録されているコンテンツに対する削除要求を第２記録再生部５５ａに出力する（シーケンスＳ４４）。
【０１３１】
これに対して、第２記録再生部５５ａは、リカバリー処理部７５ｂから出力された削除要求を受け付け、受け付けた削除要求によって特定されるコンテンツを第２記録媒体３ｂから削除する（ステップＳ１１３）。
【０１３２】
そして、リカバリー処理部７５ｂは、リカバリー対象データが復元され（ステップＳ２１３）、リカバリー対象データと対応して第２記録媒体３ｂに記録されているコンテンツが削除されると（ステップＳ１１５）、リカバリー処理を終了する。
【０１３３】
以上説明したように実施の形態２における記録再生装置によれば、著作権保護対象のコンテンツ全体またはその一部を第１の記録媒体から第２の記録媒体に移動する際に、移動対象のコンテンツ全体またはその一部に含まれる再生重要情報を再生不能にするために書き換える。このとき、暗号化において再生不能にするために書き換えた箇所を復号する際に使用される復号鍵から復元情報を構成し、構成した復元情報をコピー先の記録媒体のコンテンツと対応付けて第２記録媒体に記録する。さらに、元の記録媒体に記録されている残留コンテンツに基づいて元のコンテンツを回復する際に、コピー先のコンテンツを全部書き戻す代わりに、コピー先の記録媒体に当該コンテンツと対応付けて記録されている復元情報を読み出し、読み出した復元情報に含まれる復号鍵を使用して、再生不能にするために書き換えられた箇所を復号して、元のコンテンツを回復する。
【０１３４】
これによって、コンテンツの著作権をセキュアに保護しながら、処理負荷を増加させることなく短時間で元のコンテンツを回復することができる。さらに、復元情報を再生重要情報に基づいて構成する場合よりも、復号鍵を用いて復元情報を構成する場合の方が、移動に伴い、第２の記録媒体に記録される復元情報のデータサイズを小さくすることができる。
【０１３５】
（実施の形態３）
次に、本発明の実施の形態３について図面を参照しながら説明する。
【０１３６】
本発明の実施の形態３における記録再生装置は、ムーブ処理を実行する際に、移動対象のコンテンツ全体またはその一部の解像度を、高解像度から低解像度に変換することを特徴とする。
【０１３７】
このことを踏まえて実施の形態３における記録再生装置について説明する。なお、実施の形態１と同一の構成要素については同一の符号を付して説明を省略する。
【０１３８】
先ず、実施の形態３における記録再生装置の機能構成について説明する。
図１８に示されるように、記録再生装置１ｃは、記録再生装置１ａと比べて、下記（ａ）、（ｂ）の点が異なる。
【０１３９】
（ａ）第１記録再生部５２ａ、第２記録再生部５５ａの代わりに第１記録再生部５２ｃ、第２記録再生部５５ｃを備えること。
【０１４０】
第１記録再生部５２ｃは、著作権保護対象のコンテンツ全体またはその一部を第１記録媒体２ｃから第２記録媒体３ｃに移動する際に、第１記録媒体２ｃから読み出した移動対象のデータを、変換部５６ｃを介して第２記録再生部５５ｃに出力する。
【０１４１】
（ｂ）新たに変換部５６ｃを備えること。
変換部５６ｃは、コンテンツの解像度を高解像度から低解像度に変換する。また、コンテンツのビットレートを高ビットレートから低ビットレートに変換する。
【０１４２】
例えば、第１記録媒体２ｃをＢＤ−ＲＥとし、第２記録媒体３ｃをＤＶＤ−ＲＡＭとした場合において、ＢＤ−ＲＥからＤＶＤ−ＲＡＭへの変換は以下のような方法でおこなわれる。ＢＤ−ＲＥに記録されているＭＰＥＧ２−ＴＳ形式のコンテンツの解像度をＨＤＴＶ（High Definition Television）からＳＤＴＶ（Standard Definition Television）に変換し、データレートを変換してＭＰＥＧ２−ＰＳ形式のコンテンツにしてから、変換したコンテンツをＤＶＤ−ＲＡＭに記録する。このような変換処理は、例えば、ＭＰＥＧ２−ＴＳ形式のコンテンツを完全に復号し、映像信号のサンプルを間引いて解像度をＨＤＴＶからＳＤＴＶに変換し、ＭＰＥＧ２で再符号化し、最後に、ＭＰＥＧ２−ＰＳ形式で多重化することにより実現することができる。他の変換処理としては、いわゆるトランスコード技術を用いてもよい。トランスコードは、ＤＣＴ符号の段階でコンテンツを変換する技術であるため、当該技術によりコンテンツ全体を復号化する必要はなくなる。
【０１４３】
「ＨＤＴＶ」とは、高画質ハイビジョン放送をいう。
「ＳＤＴＶ」とは、標準画質放送をいう。
【０１４４】
以上説明したように、実施の形態３における記録再生装置１ｃは、著作権保護対象のコンテンツを第１記録媒体２ｃから第２記録媒体３ｃに移動する際に、内部の変換部に映像信号の解像度をＨＤＴＶからＳＤＴＶに変換させると共にデータレートを下げる。
【０１４５】
この変換処理を採用することにより、再生をおこないやすくなる。例えば、図１９Ｂに示される再生装置５ｃ（小型かつ軽量、低消費電力、再生処理部８１ｃ、コンテンツ復号部８２ｃ、音声・映像出力部８３ｃなどを備える）でもこの種の再生を十分おこなうことができる。
【０１４６】
再生処理部８１ｃは、第２記録媒体３ｃに記録されているコンテンツを読み出し、読み出したコンテンツをコンテンツ復号部８３ｃに出力する。
【０１４７】
コンテンツ復号部８２ｃは、再生処理部８１ｃから出力されたコンテンツを復号し、復号した音声・映像信号を音声・映像出力部８３ｃに出力する。
【０１４８】
音声・映像出力部８１ｃは、コンテンツ復号部８２ｃから出力された音声・映像信号を、液晶ディスプレイなどの携帯型表示デバイスや携帯型ヘッドホンなどを介してユーザに出力する。
【０１４９】
記録再生装置１ｃは、コンテンツを再圧縮符号化してデータレートを下げてから、第２記録媒体に記録した場合においても、（ａ）第１記録媒体に記録されているコンテンツの再生重要情報を再生不能にするために書き換える前に、再生重要情報を抽出し、（ｂ）抽出した１乃至２以上の再生重要情報から復元情報を構成し、（ｃ）構成した復元情報をコピー先の記録媒体のコンテンツと対応付けて第２記録媒体に記録する。さらに、記録再生装置１ｃは、第２記録媒体から第１記録媒体に回復する際に、コピー先のコンテンツを全部書き戻す代わりに、（ａ）コピー先の記録媒体のコンテンツと対応付けて記録されている復元情報を読み出し、（ｂ）読み出した復元情報に含まれる１乃至２以上の再生重要情報を使用して、再生不能にするために書き換えられた箇所を上書きして、元のコンテンツを回復する。
【０１５０】
これによって、消費電力が低く小型かつ軽量の再生装置でも、著作権を保護しながらコンテンツを再生できるようになり、処理負荷を増加させることなく短時間で元のコンテンツを回復することができる。
【０１５１】
（その他）
なお、コンテンツは、ＭＰＥＧ２トランスポートストリーム形式のストリームとしてもよいし、ＭＰＥＧ２プログラムストリームとしてもよい。
【０１５２】
なお、記録再生装置は、第２記録再生部の代わりに第１記録再生部を備えてもよい。
図２０に示されるように、例えば、据置型の記録再生装置１ｄは、第１記録再生部を備え、携帯型の記録再生装置６ｄは、第２記録再生部を備えるとする。このとき、据置型の記録再生装置１ｄの第１記録再生部は、著作権保護対象のコンテンツ全体またはその一部を第１記録媒体２ｄから第３記録媒体７ｄに移動する際に、第１記録媒体２ｄから読み出した移動対象のデータを携帯型の記録再生装置６ｄの第２記録再生部に出力する。
【０１５３】
なお、参照テーブルの代わりに、ＥＰ＿ｍａｐとしてもよい。ここで、ＥＰ＿ｍａｐとは、本来、ＢＤ−ＲＥにおいて特殊再生を行うために設けられるテーブルである。そして、これを流用することで、リカバリー処理専用に別途参照テーブルを生成するオーバーヘッドを減らすことが可能である。
【０１５４】
図２１に示されるように、ＥＰ＿ｍａｐ３０２は、ムーブ処理が施されたコンテンツに係る情報が格納されるエリア３２１と、部分１２１〜１２７（再生不能にするために書き換えられた部分）夫々の開始アドレスが格納されるコラム３２２と、夫々のオフセットが格納されるコラム３２３から構成される。
【０１５５】
ここで、ムーブ処理が実行された後において再生不能にするために書き換えられた部分１２０を例にあげる。エリア３１１には、コンテンツ１０２の識別情報である“ｓｔｒｅａｍ＿ＰＩＤ＝Ｘ”が示されている。コラム３２２には、部分１２１の開始アドレスである“ｓｔａｒｔ＝ａ１”が、コラム３１３には、部分１２１のオフセットである“ｏｆｆｓｅｔ＝ｂ１”などが示されている。
【０１５６】
なお、ＥＰ＿ｍａｐ３０２は、部分１２０に対してムーブ処理が施される際に生成され、第１記録媒体に記録される。
【０１５７】
なお、Ｉピクチャ又はそのヘッダ情報の代わりに、ＭＰＥＧ２パケタイズドエレメンタリーストリーム（以下、ＰＥＳと呼称する。）を再生重要情報として用いてもよい。
【０１５８】
図２２に示されるように、ＰＥＳパケットは、可変長である。ＰＥＳパケット・データは、ビデオ、オーディオを圧縮したエレメンタリーストリームに相当する。ＰＥＳパケット長を記述するための領域を持たないパケタイズドエレメンタリーストリームを作成することが認められているため、そのようなＰＥＳパケット長に基づいて次のＰＥＳパケットの位置を知ることは不可能である。そのため、ＰＥＳパケットの先頭位置は、ＰＥＳスタートコードを検出することによって判別される。
【０１５９】
例えば、ＭＰＥＧ２においては、連続する３２ビットのデータにおける先頭２４ビットが１６進数表記で、００、００、０１となる場合には、この３２ビットをスタートコードとする。この場合、残りの８ビットで、スタートコードの種類を表す。このスタートコードは、ストリームの各レイヤにおけるヘッダ開始位置を示すために用いられる。スタートコードの誤検出が発生しないように、ＭＰＥＧ２の規格では、ストリーム中におけるスタートコード以外の場所において、０が２３ビット以上連続しないように定められている。しかし、ＰＥＳの一部を、不定期に、００によって上書きした場合には、ＰＥＳスタートコード検出において、スタートコード・エミュレーションが発生する。すなわち、パケット・データを００で上書き結果として、元のパケット・データには存在しない００、００、０１という２４ビットのパターンが発生する。このため、ＰＥＳパケット先頭位置を誤検出する場合が発生し、正常な画像をデコードすることができなくなる。
【０１６０】
なお、Ｉピクチャ又はそのヘッダ情報の代わりに、ＭＰＥＧ２のトランスポートストリームのパケットＩＤを再生重要情報として用いてもよい。
【０１６１】
図２３に示されるように、トランスポートストリームは、１８８バイトの固定長のトランスポートストリームパケットによって構成される。また、トランスポートストリームパケットは、同期符号（８ビット）、誤り表示（１ビット）、ユニット開始表示（１ビット）、トランスポート・パケット・プライオリティ（１ビット）、パケットＩＤ（１３ビット）、スクランブル制御（２ビット）、アダプテーションフィールド制御（２ビット）、巡回カウンタ（４ビット）、アダプテーションフィールド及びペイロードから構成される。さらに、ＰＥＳストリームのペイロードには、ＰＥＳパケット（図２２参照。）が格納される。そして、一つのストリームは、同一のパケットＩＤを持つトランスポートパケットに分割され、トランスポートストリームに多重化される。このため、通常のデジタル放送においては、複数のストリームが、夫々、固有のＰＩＤを持ったトランスポートパケットとして、トランスポートストリームに多重化されている。
【０１６２】
例えば、以下のＰＩＤを有するトランスポートストリームの場合、映像１のＰＩＤが１０１、映像２のＰＩＤが２０１、音声１のＰＩＤが１０２とすると、これらのトランスポートパケット内のデータが時間軸で多重化されている。ある程度の期間にわたって、全パケットのＰＩＤを消去することにより、それらのＰＩＤとそのトランスポートパケットのペイロードに含まれるＰＥＳストリームとの対応関係を隠すことができる。例えば、映像１、映像２、音声１がすでにストリームにおいて混ざっているため、それらを分離することができない。
【０１６３】
なお、Ｉピクチャ又はそのヘッダ情報の代わりに、ＭＰＥＧ２のプログラムストリームのパックヘッダを再生重要情報として用いてもよい。
【０１６４】
図２４に示されるように、プログラムストリームは、パックと呼ばれるパケットによって構成されている。各パックのバイト数は、ＭＰＥＧ規格上では、規定されていないが、ＤＶＤに応用する場合には、固定長で２０４８バイトと規定されている。また、一つのパックには、一つまたは複数のＰＥＳパケットが多重化される。なお、これらのＰＥＳパケットが、映像であるか、音声であるかは、ＰＥＳヘッダ中に多重化されているストリームＩＤに基づいて判定される。そして、ストリームＩＤとストリームの内容とを関連付ける情報は、別途専用のＰＥＳパケットとして多重化される。
【０１６５】
例えば、所定の領域に渡って、全ＰＥＳパケットのＰＥＳヘッダを消去すれば、そのＰＥＳパケットに含まれるストリームの対応関係を特定することができなくなる。また、パックヘッダ中には、データレートバッファリングの情報や、ＰＥＳパケットを再生するための時間基準が多重化されている。所定の領域に渡って、パックヘッダを消去すれば、ストリームの滑らかな再生を困難にすることができる。特に、ＤＶＤのような可変ビットレートのストリームを多重化するシステムにおいては有効である。
【０１６６】
なお、記録再生装置制御プログラムは、コンピュータシステム、組み込みシステム等のようなハードウェアシステムに読み出され得るように、コンピュータ読み取り可能な記録媒体に記録しておくとしてもよい。そのような記録媒体には、ＣＤ−ＲＯＭなどの光学記録媒体、ハードディスクなどの磁気記録媒体、ＭＯなどの光磁気記録媒体、メモリカードなどの半導体メモリ等がある。そして、記録再生装置制御プログラムは、上記記録媒体を介して、他のハードウェアシステムにおいて実行されるとしてもよい。
【０１６７】
また、ネットワーク上のハードウェアシステムに記録再生装置制御プログラムを保持しておき、ネットワークを介して記録再生装置制御プログラムをダウンロードした他のハードウェアシステムにおいて実行されるとしてもよい。
【０１６８】
なお、コンテンツ保護部は、ＲＯＭに格納されているプログラムによって記録再生装置に実現されるとしてもよいし、システムＬＳＩに組み込まれているとしてもよい。
【０１６９】
なお、システムＬＳＩは、フルカスタムＬＳＩ（Large Scale Integration）によって実現されるとしてもよい。また、ＡＳＩＣ（Application Specific Integrated Circuit）等のようなセミカスタムＬＳＩによって実現されるとしてもよい。また、ＦＰＧＡ（Field Programmable Gate Array）、ＣＰＬＤ（Complex Programmable Logic Device）等のようなプログラマブル・ロジック・デバイスによって実現されるとしてもよい。また、動的に回路構成が書き換え可能なダイナミック・リコンフィギュラブル・デバイスとして実現されるとしてもよい。
【０１７０】
さらに、コンテンツ保護部を構成する１乃至２以上の機能を、これ等のＬＳＩに形成する設計データは、ＶＨＤＬ（Very high speed integrated circuit Hardware Description Language）、Ｖｅｒｉｌｏｇ−ＨＤＬ、ＳｙｓｔｅｍＣ等のようなハードウェア記述言語によって記述されたプログラム（以下、ＨＤＬプログラムと呼称する。）としてもよい。また、ＨＤＬプログラムを論理合成して得られるゲート・レベルのネットリストとしてもよい。また、ゲート・レベルのネットリストに、配置情報、プロセス条件等を付加したマクロセル情報としてもよい。また、寸法、タイミング等が規定されたマスクデータとしてもよい。
【０１７１】
さらに、設計データは、コンピュータシステム、組み込みシステム等のようなハードウェアシステムに読み出され得るように、コンピュータ読み取り可能な記録媒体に記録しておくとしてもよい。そのような記録媒体には、ＣＤ−ＲＯＭなどの光学記録媒体、ハードディスクなどの磁気記録媒体、ＭＯなどの光磁気記録媒体、メモリカードなどの半導体メモリ等がある。そして、設計データは、ダウンロードケーブルを介して、プログラマブル・ロジック・デバイスにダウンロードされるとしてもよい。
【０１７２】
または、設計データは、伝送路を経由して他のハードウェアシステムに取得され得るように、ネットワーク等のような伝送路上のハードウェアシステムに保持しておくとしてもよい。さらに、伝送路を介してハードウェアシステムから第２のハードウェアシステムに取得された設計データは、ダウンロードケーブルを介して、プログラマブル・ロジック・デバイスにダウンロードされるとしてよい。
【０１７３】
または、論理合成、配置、配線された設計データは、回路の通電時にＦＰＧＡに転送され得るように、シリアルＲＯＭに記録しておくとしてもよい。そして、シリアルＲＯＭに記録された設計データは、直接、ＦＰＧＡにダウンロードされるとしてもよい。
【０１７４】
または、論理合成、配置、配線された設計データは、回路の通電時に、マイクロプロセッサによって生成されて、ＦＰＧＡにダウンロードされるとしてもよい。
【０１７５】
本願の実施の形態の例をいくつか詳細に記載したが、本願の新規な教示および利点から実質的に逸脱することなく、例示した実施の形態において多くの改良が可能であることは、当業者には容易に理解できる。したがって、そのような変形例は本願の範囲に含まれるものとする。
【産業上の利用可能性】
【０１７６】
本発明は、著作権保護機能を有する記録再生装置として利用することができ、特に、以下のような場合でも元のコンテンツを回復することができる記録再生装置等として利用することができる。すなわち、（ａ）（デジタル放送の）著作権保護対象コンテンツが第１の記録媒体に記録された場合、（ｂ）復元情報が生成され、当該復元情報とコンテンツ全体または一部が第１の記録媒体から第２の記録媒体に移動された場合、および（ｃ）第２の記録媒体から当該復元情報を回復することによって第１の記録媒体で元のコンテンツが復元された場合である。
【図面の簡単な説明】
【０１７７】
本願におけるこれらの目的および他の目的や、効果、特徴は、実施の形態を示す付属図面に関する以下の説明から明確になる。当該図面において、
【図１】図１は、本願の実施の形態１における記録再生装置の説明図である。
【図２】図２は、実施の形態１における記録再生装置のハードウェアの機能構成を示す図である。
【図３】図３は、実施の形態１における記録再生装置の機能構成を示す図である。
【図４Ａ】図４Ａは、実施の形態１における記録再生装置の詳細な機能構成を示す第１の図である。
【図４Ｂ】図４Ｂは、実施の形態１における記録再生装置の詳細な機能構成を示す第２の図である。
【図５】図５は、実施の形態１における再生重要情報（つまり、本図ではIピクチャ）の例を示す図である。
【図６】図６は、実施の形態１における記録再生装置においてムーブ処理が実行される前と実行された後とのコンテンツのデータ構造を示す第１の説明図である。
【図７】図７は、実施の形態１における記録再生装置においてムーブ処理が実行される前と実行された後とのコンテンツのデータ構造を示す第２の説明図である。
【図８Ａ】図８Ａは、ストリームのデータ構造の説明図である。
【図８Ｂ】図８Ｂは、実施の形態１における記録再生装置において、再生不能にするために書き換えられたデータを有するコンテンツを回復する際に参照される参照テーブルのデータ構造を示す図である。
【図９】図９は、実施の形態１における記録再生装置によって実行されるムーブ処理からリカバリー処理までのシーケンスを示す図である。
【図１０】図１０は、実施の形態１における記録再生装置において実行されるムーブ処理を示すフローチャートである。
【図１１】図１１は、実施の形態１における記録再生装置によって実行されるリカバリー処理を示すフローチャートである。
【図１２】図１２は、本願の実施の形態２における記録再生装置の詳細な機能構成を示す図である。
【図１３】図１３は、実施の形態２における記録再生装置においてムーブ処理が実行される前と実行された後それぞれにおいて示されるコンテンツのデータ構造の第１の説明図である。
【図１４】図１４は、実施の形態２における記録再生装置においてムーブ処理が実行される前と実行された後それぞれにおいて示されるコンテンツのデータ構造の第２の説明図である。
【図１５】図１５は、実施の形態２における記録再生装置において実行されるムーブ処理からリカバリー処理までのシーケンスを示す図である。
【図１６】図１６は、実施の形態２における記録再生装置において実行されるムーブ処理を示すフローチャートである。
【図１７】図１７は、実施の形態２における記録再生装置において実行されるムーブ処理を示すフローチャートである。
【図１８】図１８は、本発明の実施の形態３における記録再生装置の機能構成を示す図である。
【図１９Ａ】図１９Ａは、携帯電話とＳＤカードの説明図である。
【図１９Ｂ】図１９Ｂは、実施の形態３における再生装置の構成の概要を示す図である。
【図２０】図２０は、本願のその他と称された記載箇所における据置型の記録再生装置と携帯型の記録再生装置の説明図である。
【図２１】図２１は、その他における記録再生装置において、再生不能にするために書き換えられたコンテンツを回復する際に参照されるＥＰ＿ｍａｐのデータ構造を示す図である。
【図２２】図２２は、その他におけるＭＰＥＧ２パケタイズド・エレメンタリ・ストリームのデータ構造を示す図である。
【図２３】図２３は、その他におけるＭＰＥＧ２トランスポートストリームのデータ構造を示す図である。
【図２４】図２４は、その他におけるＭＰＥＧ２プログラムストリームのデータ構造を示す図である。
【図１】
2008522333.tif 000003
【図２】
2008522333.tif 000004
【図３】
2008522333.tif 000005
【図４Ａ】
2008522333.tif 000006
【図４Ｂ】
2008522333.tif 000007
【図５】
2008522333.tif 000008
【図６】
2008522333.tif 000009
【図７】
2008522333.tif 000010
【図８Ａ】
2008522333.tif 000011
【図８Ｂ】
2008522333.tif 000012
【図９】
2008522333.tif 000013
【図１０】
2008522333.tif 000014
【図１１】
2008522333.tif 000015
【図１２】
2008522333.tif 000016
【図１３】
2008522333.tif 000017
【図１４】
2008522333.tif 000018
【図１５】
2008522333.tif 000019
【図１６】
2008522333.tif 000020
【図１７】
2008522333.tif 000021
【図１８】
2008522333.tif 000022
【図１９Ａ】
2008522333.tif 000023
【図１９Ｂ】
2008522333.tif 000024
【図２０】
2008522333.tif 000025
【図２１】
2008522333.tif 000026
【図２２】
2008522333.tif 000027
【図２３】
2008522333.tif 000028
【図２４】
2008522333.tif 000029
【国際調査報告】
2008522333.tif 000030
2008522333.tif 000031
2008522333.tif 000032